(57)【要約】【課題】物や景色等を見たときに、「あの薄桃色の‥‥」というように、色名を利用して口頭で表現する場合がある。そのような場合、色覚に異常があると色が視覚的に判別ができず、精神的に苦痛を蒙る場合が多い。【解決手段】カメラ付きの携帯式コンピュータ機器を利用した色名情報取得システムにおいて、画面表示したカラー画像上の色名を知りたい点を指定する点指定手段（２５、３３）と、指定した点の色名を探索する色名探索手段（３５、３９）と、表示及び／又は音声により色名を教示する色名教示手段（４１）とを備え、利用者がカメラ１３で撮影すると、カラー画像中の任意の個所の色名をディスプレイ１８の表示を見ることで文字等を介して視覚的にその場で知ることができる。【選択図】          図２
2005004495.tif 000002
【特許請求の範囲】
【請求項１】
カメラ付きの携帯式コンピュータ機器を利用した色名情報取得システムにおいて、画面表示したカラー画像上の色名を知りたい点を指定する点指定手段と、指定した点の色名を探索する色名探索手段と、表示及び／又は音声により色名を教示する色名教示手段とを備え、利用者が色名を視覚的及び／又は聴覚的に知ることができることを特徴とする、色名情報取得システム。
【請求項２】
請求項１に記載した色名情報取得システムにおいて、更に、使用する携帯式コンピュータ機器毎に対応した色補正をカラー画像に施す色補正手段を備えることを特徴とする色名情報取得システム。
【請求項３】
請求項１または２に記載した色名情報取得システムにおいて、色名探索手段が、指定した点のＲＧＢデータから均等色空間上の座標値を算出する表色系変換手段と、算出座標値から距離が最少となる色名座標値を探索する色名座標値探索手段と、探索した色名座標値から色名の教示情報を取得する色名情報取得手段とを有することを特徴とする色名情報取得システム。
【請求項４】
請求項１から３のいずれかに記載した色名情報取得システムにおいて、点指定手段が、移動可能な又は固定されたマークとカラー画像との合成画像を生成して表示する合成画像生成手段と、操作部の操作信号を検出すると、マークの表示点を「色名を知りたい点」として指定する点決定手段を有することを特徴とする色名情報取得システム。
【請求項５】
請求項１から４のいずれかに記載した色名情報取得システムにおいて、色名教示手段として、表色を視覚的に教示する画面を生成する教示画面生成手段を有することを特徴とする色名情報取得システム。
【請求項６】
請求項１から５のいずれかに記載した色名情報取得システムにおいて、携帯式コンピュータ機器がカメラ付きであることを特徴とする色名情報取得システム。
【請求項７】
コンピュータに、請求項１から６のいずれかに記載した色名情報取得システムの各手段を機能として実現するための色名情報取得プログラム。
【請求項８】
カメラ付きの携帯式コンピュータ機器を利用した色名情報取得方法において、画面表示したカラー画像上の色名を知りたい点を指定する点指定ステップと、指定した点の色名を探索する色名探索ステップと、表示及び／又は音声により色名を教示する色名教示ステップとを備え、利用者が色名を視覚的及び／又は聴覚的に知ることができることを特徴とする、色名情報取得方法。
【発明の詳細な説明】
【０００１】
【発明の属する技術分野】
本発明は、色名を知ることができる色名情報取得システム、プログラム及び方法に係り、特に、携帯式コンピュータを利用して他人に知られずに色名を知ることができる色名情報取得システム、プログラム及び方法に関するものである。
【０００２】
【従来の技術】
物や景色等を見たときに、「あの薄桃色の‥‥」というように、色名を利用して口頭で表現する場合がある。そのような場合、色覚に異常があると色が視覚的に判別ができない。
従って、その場で直ぐに色名を知りたい場合には、聞き返さなければならず、自らが色弱や色盲であることを相手に不可避的に暴露してしまっていた。このような暴露は精神的に苦痛になることが多い。
【０００３】
【発明が解決しようとする課題】
最近ではカメラ付き携帯電話を中心とした携帯端末が爆発的に普及してきている。携帯電話は携帯式コンピュータ機器の一種であり、これを利用することで、相手に知られずに色名をその場で知ることができれば、色覚に異常があっても、精神的な苦痛を恐れることなく、積極的に他人と接触が図れる。
それ故、本発明は、カメラ付き携帯式コンピュータ機器を利用して、その場で視覚的及び／又は聴覚的に色名を知ることができる色名情報取得システム、プログラム及び方法を提供することを目的とする。
【０００４】
【課題を解決するための手段】
この目的を達成するために、請求項１の発明は、カメラ付きの携帯式コンピュータ機器を利用した色名情報取得システムにおいて、画面表示したカラー画像上の色名を知りたい点を指定する点指定手段と、指定した点の色名を探索する色名探索手段と、表示及び／又は音声により色名を教示する色名教示手段とを備え、利用者が色名を視覚的及び／又は聴覚的に知ることができることを特徴とする、色名情報取得システムである。
【０００５】
請求項２の発明は、請求項１に記載した色名情報取得システムにおいて、更に、使用する携帯式コンピュータ機器毎に対応した色補正をカラー画像に施す色補正手段を備えることを特徴とする色名情報取得システムである。
【０００６】
請求項３の発明は、請求項１または２に記載した色名情報取得システムにおいて、色名探索手段が、指定した点のＲＧＢデータから均等色空間上の座標値を算出する表色系変換手段と、算出座標値から距離が最少となる色名座標値を探索する色名座標値探索手段と、探索した色名座標値から色名の教示情報を取得する色名情報取得手段とを有することを特徴とする色名情報取得システムである。
【０００７】
請求項４の発明は、請求項１から３のいずれかに記載した色名情報取得システムにおいて、点指定手段が、移動可能な又は固定されたマークとカラー画像との合成画像を生成して表示する合成画像生成手段と、操作部の操作信号を検出すると、マークの表示点を「色名を知りたい点」として指定する点決定手段を有することを特徴とする色名情報取得システムである。
【０００８】
請求項５の発明は、請求項１から４のいずれかに記載した色名情報取得システムにおいて、色名教示手段として、表色を視覚的に教示する画面を生成する教示画面生成手段を有することを特徴とする色名情報取得システムである。
【０００９】
請求項６の発明は、請求項１から５のいずれかに記載した色名情報取得システムにおいて、携帯式コンピュータ機器がカメラ付きであることを特徴とする色名情報取得システムである。
【００１０】
請求項７の発明は、コンピュータに、請求項１から６のいずれかに記載した色名情報取得システムの各手段を機能として実現するための色名情報取得プログラムである。
【００１１】
請求項８の発明は、カメラ付きの携帯式コンピュータ機器を利用した色名情報取得方法において、画面表示したカラー画像上の色名を知りたい点を指定する点指定ステップと、指定した点の色名を探索する色名探索ステップと、表示及び／又は音声により色名を教示する色名教示ステップとを備え、利用者が色名を視覚的及び／又は聴覚的に知ることができることを特徴とする、色名情報取得方法。
【００１２】
【発明の実施の形態】
以下に、図１から図５によって本発明の実施の形態に係る色名情報取得システムを説明する。
この実施の形態では、色名情報取得システムはカメラ付き携帯電話機によって実現されている。
図１は色名情報取得システムを実現することが可能なカメラ機能付き携帯電話機の物理的構成を示すブロック図である。
図１に示すように、全体を制御するワークメモリを備えたＣＰＵ（制御部）１と、電波を送受信するアンテナ３と、アンテナ３に接続され、無線通信を制御する送受信部５と、スピーカ７と、マイクロホン９と、スピーカ７及びマイクロホン９と接続された音声処理部１１と、カメラ１３と、画像処理部１５と、操作部１７と、ディスプレイ１８及び表示制御部２０を備えた表示部１９と、プログラムやデータを格納する記憶部２１とによって構成されている。
なお、この携帯電話機は、インターネット通信網と接続可能に設定されている。
【００１３】
本実施の形態に係る色名情報取得システムを実現するためのプログラム及びデータは、記憶部２１に格納しているが、最初から格納しておいても、図示しないＷＷＷサーバからダウンロードを利用して後から格納してもよい。
色名情報取得システムの各手段を機能として実現するためのプログラム及びデータは記憶部２１に格納されている。図２は、色名情報取得システムの論理的構成を示すブロック図である。
【００１４】
以下に、色名情報取得システムを論理処理的に説明する。
カメラ１３で撮像して映像信号を画像処理部１５に送ると、デジタル形式のカラー画像データを出力するが、このときに、色補正手段２３が動作して、携帯電話機毎に固有の色補正データが格納された色補正ファイル２４を読み出してカラー画像データに色補正を施す。従って、画像処理部１５は、色補正されたカラー画像データを出力する。そして、記憶部２１のカラー画像ファイル２２に、色補正されたカラー画像を各画素のデータ（ＲＧＢ表色系のＲＧＢ値、但し、ｓＲＧＢ値）として記憶する。
【００１５】
表示部１９は、カラー画像ファイル２２からカラー画像を読み出して入力する。このときに合成画像生成手段２５が動作して、記憶部２１に予め記憶されたマーク画像を読出して、画像処理部１５に、移動可能なマークとしての十字カーソル画像とカラー画像とを合成させる。そして、表示部１９の表示制御部２０が所定の編集様式に従って表示画面を生成し、ディスプレイ１８がカラー画像とカーソル画像の合成画像の表示画面を表示する。
図３は、合成画像の表示画面の一例である。図中、符号２９は車のカラー画像を示し、符号３１は十字カーソルを示す。
【００１６】
操作部１７の所定のキー（例えば１７ａ）を押下して、十字カーソルの交差表示点３２を移動し、所望の位置にきたとき、所定のキー（例えば、１７ｂ）を押下すると、位置指定信号を出力する。位置指定信号を検出すると、点決定手段３３が動作して、十字カーソル３１の交差表示点３２（１個の画素）を「色名を知りたい点」として指定する。
【００１７】
「色名を知りたい点」として１個の画素を指定すると、表色系変換手段３５が動作して、記憶部２１からその点に対応するカラー画像ファイル２２を読み出す。そして、その値から図示しないデータファイルに予め記憶されている変換式に基づいて計算して、先ず、ＸＹＺ三刺激値を算出し、次に均等色空間上の座標値を算出する。均等色空間は、ＪＩＳ  Ｚ  ８７２９：１９９４「色の表示方法  Ｌ＊ａ＊ｂ表色系及びＬ＊ｕ＊ｖ表色系（Ｃｏｌｏｒ  ｓｐｅｃｉｆｉｃａｔｉｏｎ−ＣＩＥＬＡＢ  ａｎｄ  ＣＩＥＬＵＶ  ｃｏｌｏｒ  ｓｐａｃｅｓ）」で定義されているように、ＣＩＥＬＡＢとＣＩＥＬＵＶの２種類があるが、前者がグローバルなのに対して、後者がローカルであることから、色名の探索には、ＣＩＥＬＡＢの方が適している。
従って、本実施の形態では、ＣＩＥＬＡＢ上の座標値を算出する。
【００１８】
ｓＲＧＢ値をｓＲＧＢ規格（ＩＥＣ  ６１９６６−２−１，ＦＩＲＳＴ  ＥＤＩＴＩＯＮ  １９９９−１０，  ｍｕｌｔｉｍｅｄｉａ  ｓｙｓｔｅｍｓ  ａｎｄ  ｅｑｕｉｐｍｅｎｔ−Ｃｏｌｏｕｒ  ｍｅａｓｕｒｅｍｅｎｔ  ａｎｄ  ｍａｎａｇｅｍｅｎｔ  ＩＮＴＥＲＮＡＴＩＯＮＡＬ  ＳＴＡＮＤＡＲＤの５．３  Ｔｒａｎｓｆｏｒｍａｔｉｏｎ  ｆｒｏｍ  ＣＩＥ  １９３１  ＸＹＺ  ｖａｌｕｅｓ  ｔｏ  ＲＧＢ  ｖａｌｕｅｓの式（７））に基づいて、ＸＹＺ三刺激値に変換する。
【００１９】
次に、ＸＹＺ三刺激値から、以下の変換式を用いて、Ｌ＊値、ａ＊値、ｂ＊値に変換する。
【数１】
2005004495.tif 000003
（上記式中、係数は標準のＸ０＝９８．０７２、Ｙ０＝１００、Ｚ０＝１１８．２５５とする。）
【００２０】
得られたＬ＊値、ａ＊値、ｂ＊値は、算出座標値である。
図４は、均等色空間（ＣＩＥＬＡＢ）の座標値とそれに対応する色名表示データを登録した色名座標値ファイル３７の内容を示す。色名は、ＪＩＳ８１０２：２９９１「物体色の色名（Ｎａｍｅ  ｏｆ  ｎｏｎ−ｌｕｍｉｎｏｕｓ  ｏｂｊｅｃｔ  ｃｏｌｏｒｓ）」で定義されている慣用色名と系統色名を用いる。慣用色名は、例えば「鴇（とき）色」のように色の個別名称である。従って、色名と色を知らなければ、どのような色か全くわからない。一方、系統色名は、基本色名（赤、黄赤（ダイダイ色）、黄、黄緑‥‥）に対して明度・彩度に関する修飾語（鮮やかな、明るい、濃い、薄い‥‥）と、色相に関する修飾語（赤みの、黄みの‥‥）とを組合せることにより、色を表現している。
【００２１】
算出座標値は、色名座標値ファイル３７に登録された色名座標値に必ずしも一致することはない。
従って、近似する色名を探索することになる。
色名座標値探索手段３９が動作して、線形探索法により、均等色空間での距離が最少となる色名座標値を探索する。均等色空間では、距離が色差となっているので、限られた色名を記憶しておいても、簡単な探索法により適正な色名を取得することができる。
【００２２】
色名座標値の探索を終了し、目指す色名座標値を取得すると、色名情報取得手段４１が動作して、色名ファイル４３を読み込んで、「色名」の表示画面データを読み出す。また、色名表示手段４４が動作して、表示部１９の表示制御部２０に、探索した色名座標値（Ｌ＊値、ａ＊値、ｂ＊値）に対応する「色名」を視覚的に教示するための色名表示サブ画面４６を生成させる。従って、ディスプレイ１８が「色名」を表示する。図５は、慣用色名の「鉛丹色（えんたんいろ）」と系統色名の「つよい黄みの赤」の２つの色名が同時に表示された画面を示す。
この実施の形態では、慣用色名と系統色名が同時に表示されるので、知らなかった色名を正しく知ることができる。
【００２３】
上記のシステムの説明に当っては、記憶部２１に格納したファイルは主なもののみを記載していることは理解されたい。
本実施の形態を図６に示す処理フローチャートに従って簡単に説明すると、以下の通りとなる。
カメラ１３を使用した撮像によりカラー画像を取得すると（ステップＳ１）、図３に示すカラー画像とカーソル画像の合成画像（合成画面）をディスプレイ１８で表示する（ステップＳ２）。カーソル画像の表示点（画素）を「色名を知りたい点」として指定すると（ステップＳ３）、色名を探索し（ステップＳ４）、その点の色名を教示する色名表示画面をディスプレイ１８で表示する（ステップＳ５）。
【００２４】
以上、本発明の実施の形態について詳述してきたが、具体的構成は、この実施の形態に限られるものではなく、本発明の要旨を逸脱しない範囲における設計の変更などがあっても本発明に含まれる。
例えば、カメラ付きの携帯式コンピュータ機器は、持ち運び可能なカメラ付き携帯電話に限らず、例えば、現時点でも、他にＰＤＡ、ウエアブルＰＣ等が考えられる。
カメラはデジタルカメラでもビデオカメラでもよい。
処理動作は、全て携帯式のコンピュータ機器に行わせる必要はなく、例えば、カラー画像をＷＷＷサーバに送り、ＷＷＷサーバで処理して色名表示画面を送信してもらってもよい。
【００２５】
色名情報取得手段は、対応する「色名」を聴覚的に教示するための色名表示音声を生成して、音声処理部に与えてもよい。
色名表示画面は、カラー画像の表示画面から切り換えるようにしてもよい。その場合には、画面が大きいので、マーク周辺の拡大画像を表示してもよい。
また、必要な場合には、ＨＳＶ表色系の色相Ｈ（動径方向）と彩度Ｓ（円周方向）の円状カラー画像とその画像中の所定のカラー画素を表示してもよい。
【００２６】
「色名」を一つの画素に対応させるものには限定されず、例えば、ある画素を指定すると、その画素とその周囲の画素の個々のＸＹＺ三座標値を算出し、それらの平均値を求め、その平均値から均等色空間（ＣＩＥＬＡＢ）の座標値を算出し、そこから、色名座標値を探索してもよい。また、画面全体の画素から「色名」を知るように構成してもよい。その場合には、カーソルなどの表示も不要となる。そのように構成した場合には、洋服などの色名を知りたい対象物にカメラを近接させてカラー画像を取得することになる。
また、カラー画像ファイルに出力（記憶）せず、ＣＰＵ内部のメモリ上で処理してもよい。
上記の実施の形態では、慣用色名と系統色名が同時に表示されていたが、いずれか一方のみを表示させてもよい。
また、利用者が自ら色名ファイルを作成できる構成にしてもよい。
【００２７】
ステップＳ３の指定処理を操作部１７の操作を必要としないように構成してもよい。例えば、カラー画像上にカーソルが重ねて表示されると、プログラムがカーソル位置を色名を知りたい点として指定処理するよう構成してもよい。
また、ステップＳ１の画像を取得する段階をなくし、ＣＣＤカメラ機能に中心位置の色名を表示する機能を持たせ、カメラを対象物に向けるだけで色名が分かるようにしてもよい。
【００２８】
【発明の効果】
本発明の色名情報取得システム、プログラム及び方法によれば、カメラ付きの携帯電話等の携帯式コンピュータ機器を利用して、色覚障害者は他人に知られずに、その場で色名を知ることができる。また、音声を利用した色名教示手段を備える場合には、先天性色覚障害者が、生涯知ることのできなかった身の回りの色の存在を聴覚にて知ることができる。
【図面の簡単な説明】
【図１】図１は、色名情報取得システムを実現することが可能なカメラ機能付き携帯電話機の物理的構成を示すブロック図である。
【図２】図２は、色名情報取得システムの論理的構成を示すブロック図である。
【図３】図３は、合成画像の表示画面の一例を示す図である。
【図４】図４は、色名データファイルの内容を示す図である。
【図５】図５は、色名が表示された画面を示す図である。
【図６】図６は、処理フローチャートを示す図である。
【符号の説明】
１    ＣＰＵ                    ３    アンテナ
５    送受信部                  ７    スピーカ
９    マイクロホン              １１  音声処理部
１３  カメラ                    １５  画像処理部
１７  操作部                    １８  ディスプレイ
１９  表示部                    ２１  記憶部
２２  カラー画像ファイル        ２３  色補正手段
２４  色補正ファイル            ２５  画像合成手段
２９  車のカラー画像            ３１  十字カーソル
３３  点決定手段                ３５  表色系変換手段
３７  色名座標値ファイル        ３９  色名座標値探索手段
４１  色名情報取得手段          ４３  色名ファイル
４４  色名表示手段              ４６  サブ画面
【図１】
2005004495.tif 000004
【図２】
2005004495.tif 000005
【図３】
2005004495.tif 000006
【図４】
2005004495.tif 000007
【図５】
2005004495.tif 000008
【図６】
2005004495.tif 000009